(57)【要約】【課題】  平面ガラス板を立てた状態で保持し、この平面ガラス板を搬送装置により焼成炉内を移動させて焼成処理する場合において、焼成時に平面ガラス板の下縁部が彎曲したり、この平面ガラス板の下縁部の両端部に欠けが生じたりするのを抑制する。【解決手段】  平面ガラス板１を立てた状態で保持し、この平面ガラス板を搬送装置２２により焼成炉２０内を移動させて焼成処理する平面ガラス板用連続焼成装置において、上面に凹部が設けられた断熱性の保持部材を所要間隔を介して複数配置させ、各保持部材の凹部内に上記の立てた状態にある平面ガラス板の下縁部を挿入させて保持させる一方、上記の平面ガラス板の下縁部の両端部が上記の保持部材に保持されないようにした。【選択図】  図３
2007051038.tif 000002
【特許請求の範囲】
【請求項１】
平面ガラス板を立てた状態で保持し、この平面ガラス板を搬送装置により焼成炉内を移動させて焼成処理する平面ガラス板用連続焼成装置において、上面に凹部が設けられた断熱性の保持部材を所要間隔を介して複数配置させ、各保持部材の凹部内に上記の立てた状態にある平面ガラス板の下縁部を挿入させて保持させる一方、上記の平面ガラス板の下縁部の両端部が上記の保持部材に保持されないようにしたことを特徴とする平面ガラス板用連続焼成装置。
【請求項２】
請求項１に記載した平面ガラス板用連続焼成装置において、上記の焼成炉内において加熱された気体を上方から下方に送って上記の平面ガラス板を焼成処理することを特徴とする平面ガラス板用連続焼成装置。
【請求項３】
請求項１又は請求項２に記載した平面ガラス板用連続焼成装置において、上記の立てた状態にある平面ガラス板の上縁部を支持する上部支持部材を設けたことを特徴とする平面ガラス板用連続焼成装置。
【発明の詳細な説明】
【技術分野】
【０００１】
この発明は、プラズマディスプレイパネル（以下、ＰＤＰと略す。）等に使用する平面ガラス板を連続して焼成処理する平面ガラス板用連続焼成装置に係り、特に、平面ガラス板を立てた状態で保持し、この平面ガラス板を搬送装置により焼成炉内を移動させて焼成処理する場合において、焼成時にこの平面ガラス板の下縁部が彎曲したり、この平面ガラス板の下縁部の両端部に欠けが生じたりするのを抑制するようにした点に特徴を有するものである。
【背景技術】
【０００２】
平面ガラス板を用いてＰＤＰ等を製造するにあたっては、平面ガラス板の上に形成した隔壁や蛍光体やシールフリット等を焼成することが行われている。
【０００３】
ここで、上記のような平面ガラス板を焼成処理するにあたっては、焼成時に平面ガラス板が歪んだりするのを抑制するため、一般に耐熱ガラスで構成されたセッターの上に上記の平面ガラス板を水平に載置させ、またこのようにセッターの上に平面ガラス板を水平に載置させたものを上下方向に所要間隔を介して複数積層させたものを、ハースローラ等の搬送装置により焼成炉内を移動させ、輻射主体の加熱によって焼成させるようにしている。
【０００４】
しかし、このようにセッターの上に平面ガラス板を水平に載置させたものを輻射主体の加熱によって焼成処理する場合、平面ガラス板への熱伝達速度が小さくなり、積層させる平面ガラス板の数を多くすると、各平面ガラス板における温度差が大きくなって一定した焼成処理を行うことが困難になり、このため、積層させる平面ガラス板の数をあまり多くすることができず、平面ガラス板を効率よく焼成処理することができないという問題があった。
【０００５】
このため、近年においては、平面ガラス板を立てた状態で保持させ、このように立てた状態で保持された平面ガラス板をハースローラ等の搬送装置により焼成炉内を移動させると共に、この焼成炉内において加熱された気体を上方から下方に送って上記の平面ガラス板を焼成処理するようにしたものが提案されている（例えば、特許文献1参照。）。
【０００６】
ここで、上記のように平面ガラス板を立てた状態で保持させるにあたっては、一般に、図１（Ａ），（Ｂ）に示すように、セラミック等の断熱性材料で構成された保持部材２の上面に設けた凹部２ａ内に、立てた状態にある平面ガラス板１の下縁部全体を挿入させると共に、この平面ガラス板１の上縁部を上部保持部材３に当接させるようにして、この平面ガラス板１を上記の保持部材２上に立てた状態で保持させるようにしていた。
【０００７】
しかし、このように立てた状態にある平面ガラス板１の下縁部全体を保持部材２の上面に設けた凹部２ａ内に挿入させた状態で、上記のように焼成炉内においてこの平面ガラス板１を焼成処理するようにした場合、上記の保持部材２及びそのサポート（図示せず）と平面ガラス板１との熱膨張率が異なって、保持部材２と平面ガラス板１との伸びに差が生じ、この平面ガラス板１における伸びが保持部材２に規制されて、この平面ガラス板１の下縁部に熱応力が加わり、この平面ガラス板１の下縁部が彎曲し、特に、この平面ガラス板１の下縁部の両端部に大きな熱応力が加わり、この平面ガラス板１の下縁部の両端部に欠けが生じたりして、不良品の発生が多くなる等の問題が生じた。
【特許文献１】特開２００２−２４３３６８号公報
【発明の開示】
【発明が解決しようとする課題】
【０００８】
この発明は、ＰＤＰ等に使用する平面ガラス板を連続して焼成処理する平面ガラス板用連続焼成装置において、平面ガラス板を立てた状態で保持し、この平面ガラス板を搬送装置により焼成炉内を移動させて焼成処理する場合において、焼成時に平面ガラス板の下縁部が彎曲したり、この平面ガラス板の下縁部の両端部に欠けが生じたりするのを抑制することを課題とするものである。
【課題を解決するための手段】
【０００９】
この発明においては、上記のような課題を解決するため、平面ガラス板を立てた状態で保持し、この平面ガラス板を搬送装置により焼成炉内を移動させて焼成処理する平面ガラス板用連続焼成装置において、上面に凹部が設けられた断熱性の保持部材を所要間隔を介して複数配置させ、各保持部材の凹部内に上記の立てた状態にある平面ガラス板の下縁部を挿入させて保持させる一方、上記の平面ガラス板の下縁部の両端部が上記の保持部材に保持されないようにした。
【００１０】
ここで、この発明における平面ガラス板用連続焼成装置において、上記のように立てた状態で保持された平面ガラス板を焼成炉内において焼成処理するにあたっては、焼成炉内において加熱された気体を上方から下方に送って上記の平面ガラス板を焼成処理することが好ましい。
【００１１】
また、この発明における平面ガラス板用連続焼成装置において、上記のように立てた状態で保持された平面ガラス板を焼成炉内において高い温度で焼成処理する場合には、この立てた状態にある平面ガラス板の上縁部を上部支持部材によって支持させることが好ましい。
【発明の効果】
【００１２】
この発明における平面ガラス板用連続焼成装置においては、平面ガラス板を立てた状態で保持させるにあたり、上面に凹部が設けられた断熱性の保持部材を所要間隔を介して複数配置させ、各保持部材の凹部内に上記の立てた状態にある平面ガラス板の下縁部を挿入させて保持させる一方、上記の平面ガラス板の下縁部の両端部が上記の保持部材に保持されないようにしたため、このように立てた状態にある平面ガラス板を搬送装置により焼成炉内を移動させて焼成処理する場合に、この保持部材及びそのサポートと平面ガラス板との熱膨張率が異なって、保持部材と平面ガラス板との伸びに差が生じても、この平面ガラス板の伸びが保持部材により規制されるということが少なくなり、この平面ガラス板の下縁部が彎曲するのが抑制されると共に、この平面ガラス板の下縁部の両端部に大きな熱応力が加わるということがなく、平面ガラス板の下縁部の両端部に欠けが発生するのも防止され、不良品の発生が少なくなる。
【００１３】
また、この発明における平面ガラス板用連続焼成装置において、上記のように立てた状態で保持された平面ガラス板を焼成炉内において焼成処理するにあたり、焼成炉内において加熱された気体を上方から下方に送って上記の平面ガラス板を焼成処理させるようにすると、加熱された気体が立てた状態で保持された各平面ガラス板の間を通って各平面ガラス板が均一に加熱されるようになり、多くの平面ガラス板の加熱処理が効率よく行えるようになると共に、焼成炉内においてダスト等が舞い上がって平面ガラス板に付着するのも防止されるようになる。
【００１４】
また、この発明における平面ガラス板用連続焼成装置において、上記のように立てた状態で保持された平面ガラス板を焼成炉内において高い温度で焼成処理する場合において、立てた状態にある平面ガラス板の上縁部を上部支持部材によって支持させるようにすると、平面ガラス板が歪んだりするのが抑制されるようになる。
【発明を実施するための最良の形態】
【００１５】
以下、この発明の実施形態に係る平面ガラス板用連続焼成装置を添付図面に基づいて具体的に説明する。なお、この発明に係る平面ガラス板用連続焼成装置は下記の実施形態に示すものに限定されず、発明の要旨を変更しない範囲において、適宜変更して実施できるものである。
【００１６】
この実施形態においては、平面ガラス板１を立てた状態で保持させる保持部材１０として、セラミックス等の断熱性材料で構成され、図２に示すように、立てた状態にある平面ガラス板１の下縁部を保持する凹部１１が上面に形成された適当な幅ｄになったものを用いるようにした。
【００１７】
そして、上記の保持部材１０によって平面ガラス板１を立てた状態で保持させるにあたっては、図３に示すように、上記の保持部材１０を適当な間隔ｘを介して複数（図に示す例では３つ）配置させ、立てた状態にある平面ガラス板１の下縁部の両端部が、両側の保持部材１０から突出して保持部材１０上に保持されないようにして、各保持部材１０の上面に設けられた凹部１１内に、この平面ガラス板１の下縁部を挿入させるようにしている。
【００１８】
ここで、上記の保持部材１０の幅ｄ、保持部材１０間の間隔ｘ、配置させる保持部材１０の数は、立てた状態で保持させる平面ガラス板１の大きさ等によって適宜変更させることができ、例えば、横が約１５００ｍｍ，縦が約１０５０ｍｍの平面ガラス板１を横長の状態で立てて保持する場合には、上記の保持部材１０の幅ｄを２０ｍｍ〜５０ｍｍ、保持部材１０間の間隔ｘを５００ｍｍ以下で、保持部材１０の幅ｄよりも大きくすることが好ましい。
【００１９】
そして、このように複数の保持部材１０により立てた状態で保持された平面ガラス板１を焼成処理するにあたっては、図４に示すように、上記のように立てた状態で保持された複数枚の平面ガラス板１を保持台２１上にセットし、この保持台２１を焼成炉２０内に導き、この焼成炉２０内に設けられたハースローラからなる搬送装置２２により、上記のように複数枚の平面ガラス板１が立てた状態で保持された保持台２１を順々に焼成炉２０内において移動させるようにする。
【００２０】
そして、この焼成炉２０の上部に設けられた循環ファン２３により加熱された気体を上方から下方に送り、この加熱された気体を上記のように立てた状態で保持された各平面ガラス板１の間を通して、保持台２１に立てた状態で保持された複数の平面ガラス板１を加熱させ、各保持台２１に立てた状態で保持された複数の平面ガラス板１を順々に焼成処理させるようにする。
【００２１】
このようにして立てた状態で保持された複数の平面ガラス板１を順々に焼成処理すると、平面ガラス板１の焼成処理が効率よく行えると共に、焼成炉２０内においてダスト等が舞い上がるのも抑制されて、平面ガラス板１にダスト等が付着するのも防止されるようになる。
【００２２】
また、上記のようにして立てた状態で保持された複数の平面ガラス板１を焼成処理した場合、前記のように保持部材１０と平面ガラス板１との熱膨張率が異なって、保持部材１０と平面ガラス板１との伸びに差が生じても、この平面ガラス板１の伸びが保持部材１０によって規制されることが少なくなり、この平面ガラス板１の下縁部が彎曲するのが抑制されると共に、この平面ガラス板１の下縁部の両端部に大きな熱応力が加わるということがなく、平面ガラス板１の下縁部の両端部に欠けが発生するのが防止されるようになる。
【００２３】
なお、この実施形態においては、平面ガラス板１を立てた状態で保持させるにあたり、平面ガラス板１の下縁部を各保持部材１０の上面に設けられた凹部１１内に挿入させて保持させるようにしただけであるが、この平面ガラス板１を高い温度で焼成処理する場合においては、焼成時に上記の平面ガラス板１が大きく歪んだりするのを抑制するため、図５に示すように、平面ガラス板１の下縁部を前記のように各保持部材１０の上面に設けられた凹部１１内に挿入させると共に、この平面ガラス板１の上縁部を上部支持部材３によって支持させることが好ましい。
【００２４】
また、上記のように平面ガラス板１を立てた状態で保持させる場合、立てた状態にある平面ガラス板１の傾斜が大きくなると、焼成時にこの平面ガラス板１が歪みやすくなるため、立てた状態にある平面ガラス板１の傾斜を１０°以下、すなわち平面ガラス板１の水平面に対する角度を９０°±１０°の範囲にすることが好ましい。
【図面の簡単な説明】
【００２５】
【図１】立てた状態で平面ガラス板を保持させた従来例の概略側面図及び概略正面図である。
【図２】この発明の一実施形態に係る平面ガラス板用連続焼成装置において、平面ガラス板を立てた状態で保持させるのに使用する保持部材の概略斜視図である。
【図３】同実施形態に係る平面ガラス板用連続焼成装置において、上記の保持部材を複数用いて、平面ガラス板を立てた状態を保持させた状態を示した概略正面図である。
【図４】同実施形態に係る平面ガラス板用連続焼成装置において、上記のように立てた状態を保持された複数枚の平面ガラス板を保持台上にセットさせて、焼成炉内において焼成処理する状態を示した断面説明図である。
【図５】同実施形態に係る平面ガラス板用連続焼成装置において、前記のようにして立てた状態にある平面ガラス板の上縁部を上部支持部材によって支持させた状態を示した概略正面図である。
【符号の説明】
【００２６】
１  平面ガラス板
３  上部支持部材
１０  保持部材
１１  凹部
２０  焼成炉
２１  保持台
２２  搬送装置
２３  循環ファン
ｄ  保持部材の幅
ｘ  保持部材間の間隔
【図１】
2007051038.tif 000003
【図２】
2007051038.tif 000004
【図３】
2007051038.tif 000005
【図４】
2007051038.tif 000006
【図５】
2007051038.tif 000007